(57)【要約】      （修正有）【課題】吐水量（通水量）を簡易に調節できる制水駒と、該制水駒を内蔵して泡沫を発生できる節水弁と、該節水弁の下端を回転して盗難防止筒に節水弁を収納する盗難防止用節水弁とを提供する。【解決手段】制水盤２の盤本体の外周縁均等分割点には、各突起に案内される凹溝が配設されるとともに、中心部につまみを立設し、通水孔と通水量表示域をのぞける広さの開口窓を開口する。このほか、通水盤１と制水盤２とから成る制水駒ａを通水室に内蔵した接合金具３と、該接合金具３に接合された泡沫発生体４とから成る節水弁と、該節水弁の接合金具３と泡沫発生体４との接合間外周部に所要の間隙６と泡沫発生体４の下面に回転用の凹溝４eを所要に配設した節水弁Ｂ及びこの節水弁Ｂを空転する盗難防止筒７に収納した盗難防止用節水弁Ｃを実現する。【選択図】図６
0003159456.tif 000002
【実用新案登録請求の範囲】
【請求項１】
通水孔を複数個開口した通水盤と、該通水盤に重畳されて該通水孔を選択的に開口する制水盤とから成る制水駒において、
前記通水盤の盤本体の外周縁均等分割点に位置決め案内用の突起を立設し、前記通水孔を各通水量の口径に設定するとともに、各通水孔の近傍に通水量を表示した通水量表示域を設け、前記制水盤の盤本体の外周縁均等分割点には、前記各突起に案内される凹溝が配設されるとともに、中心部につまみを立設し、前記通水孔と通水量表示域をのぞける広さの開口窓を開口して成る制水駒。
【請求項２】
水栓の口端に接合される接合金具の通水室に制水駒が内嵌され、該通水室の下方に泡沫発生部が連通される泡沫発生体が該接合金具の下端部に接合されて成る節水弁において、
前記制水駒が請求項１記載の制水駒から成る節水弁。
【請求項３】
請求項２記載の節水弁において、接合金具と泡沫発生体との接合間外周部に所要寸法の間隙が形成されるとともに、泡沫発生体の下面に回転用の凹溝を所要に配設して成る節水弁。
【請求項４】
請求項３記載の節水弁と、該節水弁の間隙に遊嵌する座盤を筒本体の内周面所要位置に内設して成る盗難防止筒とから成り、該盗難防止筒の座盤を前記間隙に遊嵌して盗難防止筒に前記節水弁を収納して成る盗難防止用節水弁。
【考案の詳細な説明】
【技術分野】
【０００１】
本考案は、水栓の口端に接合されて吐水量を調節する流量制御弁の分野に属する。
【背景技術】
【０００２】
泡沫発生体に相当する混和装置の上方に第１要素７と第２要素１１とを重畳させ、第１要素７に開口した多数の大径の孔８と把み用突起１３を設けた第２要素１１に開口した多数の小孔１２とにより、水流を微細化する技術が特開昭５７−１７２０４５号公報（特許文献１）に提案されているが、前記孔８と小孔１２との限定位置決めには第１要素７に開口された孔９、１０に挿入されるピン１４によるものであるため、位置決めが煩わしいものである。
また、盗難防止のために節水弁を空転する盗難防止筒に収納する技術は提案されていない現況である。
【先行技術文献】
【特許文献】
【０００３】
【特許文献１】特開昭５７−１７２０４５号公報
【考案の概要】
【考案が解決しようとする課題】
【０００４】
本考案は、吐水量（通水量）を簡易に調節できる制水駒と、該制水駒を内蔵して泡沫を発生できる節水弁と、該節水弁の下面を回転して盗難防止筒に節水弁が収納される盗難防止用節水弁とを提供する。
【課題を解決するための手段】
【０００５】
本考案の請求項１に記載された制水駒は、通水孔を複数個開口した通水盤と、該通水盤に重畳されて該通水孔を選択的に開口する制水盤とから成る制水駒において、
前記通水盤の盤本体の外周縁均等分割点に位置決め案内用の突起を立設し、前記通水孔を各通水量の口径に設定するとともに、各通水孔の近傍に通水量を表示した通水量表示域を設け、前記制水盤の盤本体の外周縁均等分割点には、前記各突起に案内される凹溝が配設されるとともに、中心部につまみを立設し、かつ前記通水孔と通水量表示域をのぞける広さの開口窓を開口して成る。
請求項２に記載された節水弁は、水栓の口端に接合される接合金具の通水室に制水駒が内嵌され、該通水室の下方に泡沫発生部が連通される泡沫発生体が該接合金具の下端部に接合されて成る節水弁において、
前記制水駒が請求項１記載の制水駒から成る。
請求項３に記載された節水弁は、請求項２記載の節水弁において、接合金具と泡沫発生体との接合間外周部に所要寸法の間隙が形成されるとともに、泡沫発生体の下面に回転用の凹溝を所要に配設して成る。
請求項４に記載された盗難防止用節水弁は、請求項３記載の節水弁と、該節水弁の間隙に遊嵌する座盤を筒本体の内周面所要位置に内設して成る盗難防止筒とから成り、該盗難防止筒の座盤を前記間隙に遊嵌して盗難防止筒に前記節水弁を収納して成る。
【考案の効果】
【０００６】
本考案の制水駒は、通水量選択時の通水盤に対する制水盤の重畳位置決めが、制水盤のつまみの持ち上げによる通水盤の突起からの凹溝の離脱と、つまみの回転による開口窓の選択通水孔への合致と落とし込みで突起への凹溝の嵌着とによってなされるから、簡易である上、開口窓から通水量表示域に表示された通水量で適切な節水量が把握がされ、したがって、この節水駒を内蔵した節水弁も適切な節水量で節水に貢献し、さらに、盗難防止用節水弁では盗難防止筒に収納された節水弁は、水栓の口端に接合された状態では鍵を使用しなければ盗難防止筒が空転するのみで、口端から脱却されないから盗難防止が図られる。
【図面の簡単な説明】
【０００７】
【図１】本考案の制水駒ａの中央縦断面図。
【図２】同上制水駒ａにおける制水盤２の説明図で、（ａ）はその平面図、（ｂ）は（ａ）の中央縦断面図。
【図３】同上制水駒ａにおける通水盤１の説明図で、（ａ）はその平面図、（ｂ）は（ａ）の中央縦断面図。
【図４】通水盤１の説明用拡大平面図。
【図５】本考案の節水弁Ａの説明図で、（ａ）はその中央縦断面図、（ｂ）はその底面図。
【図６】本考案の節水弁Ｂを盗難防止筒７に収納した盗難防止用節水弁Ｃの説明図で、（ａ）はその中央縦断面図で、（ｂ）はその底面図。
【図７】本考案の盗難防止用節水弁Ｃに使用する鍵１１の中央縦断面図。
【図８】同上盗難防止用節水弁Ｃの使用状態の説明図。
【考案を実施するための形態】
【０００８】
本考案の制水駒ａの制水盤２と通水盤１とはPC材による射出成形品で提供される。また、盗難防止筒７の筒本体７aの内周面に周設される座盤７bに代えて、座盤７bの位置に間隙６に遊嵌されるピンを外周面から対向して植設することもある。さらに、各通水孔１e乃至１hは型成形上で抜き勾配を付けたテーパ状であるが、このものに限定するものではなくストレートのものでも提供される。
【実施例】
【０００９】
本考案の制水駒ａを一実施例により説明すると、図１に示すように、このものは通水盤１と該通水盤１の上面に重畳される制水盤２とから成る。制水盤２は図２に示すように、平面視所要面積の円盤状の盤本体２aの外周縁均等分割点（４分割点）に凹溝２bが配設され、中心部にはつまみ２cが立設され、つまみ２cの近傍で凹溝２bの中心と盤本体２aの中心を結ぶ直線と、両中心から所要位置での直交線を中心線２dとする所要面積の開口窓２eが貫通されて成り、凹溝２bは下方中心に向けて傾斜する円錐面２fが形成されて成る。
制水盤２が重畳される通水盤１は図３に示すように、平面視所要面積（制水盤２の盤本体２aと同面積）の盤本体１aの外周縁均等分割点（４分割点）において、内面に凹溝２bの円錐面２fに当接される円錐面１bを有する突起１cが立設され、盤面には図４に示すように、制水盤２の開口窓２eの中心線２dを接線とする円周１d上で各突起１cの中心と盤本体１aの中心を結ぶ直線との交点に、それぞれ小孔から順に４個の通水孔１e、１f、１g、１hを僅かに裏面に向けて絞り状に貫通して成り、各通水孔１e乃至１hの近傍で各通水孔の中心を通る円周１dの接線を跨いで仮想線で示すように配設された通水量表示域１iには、文字高さ100μ（0.1mm）で１分当りの通水量（リットル単位）が表示される。具体的には通水孔１eでは3.0、通水孔１fでは3.5、通水孔１gでは4.0、通水孔１hでは4.5として通水量表示域１iに表示される。
通水量は上記のものに限定されるものではなく、6.0（l/min）、6.5、7.0、7.5のような通水量に見合う通水孔なども開口される。また、制水盤２の盤本体２aの裏面で、通水盤１の通水量表示域１iに合致する部位には、文字高さを収納できる逃げ空間が形成される。
【００１０】
次に、制水駒ａを内蔵する本考案の節水弁Ａを説明すると、図５に示すように、このものは接合金具３と泡沫発生体４とから成り、接合金具３はその外周部下方に螺設された雄ネジ３aが、泡沫発生体４の上方に内設され、そのネジ底にパッキング４aを介在させた雌ネジ４bに螺合され、内方では上方に水栓の口端に接合される雌ネジ３bが螺設され、その下方で段差部３cを配して形成される通水室３dには段差部３cにその通水盤１を着座させた制水駒ａが内蔵されるものであり、その下方が泡沫発生体４の内部に収蔵され、上下に網目４cを有する泡沫発生部４dに連通され、制水駒ａの上面には柔軟材によるパッキング５が着座されてその抜け止めが図られる。
このようにして成る節水弁Ａは、制水駒ａにおいて使用状況による通水盤１の通水孔１e乃至１hが選択されて水栓の口端、例えば図８に示す横形自在水栓９の口端１０に接合されて使用され節水が図られる。
【００１１】
前記制水駒ａを内蔵し盗難防止用として提供される節水弁Ｂについて説明すると、このものは図６に示されるように、制水駒ａを内蔵する接合金具３と泡沫発生体４との接合において、両者の接合間外周部に所要丈と奥行の間隙６が形成され、泡沫発生体４の下面には３分割点で所要径、所要深さの回転用の凹溝４eが凹設されて成る。
したがって、節水弁Ｂを盗難防止用節水弁Ｃとするには、節水弁Ｂを盗難防止筒７に収納して節水弁Ｂに対して盗難防止筒７を空転状態に保持することである。
そのため、盗難防止筒７の筒本体７aの内周所要位置、すなわち節水弁Ｂの接合金具３の上端が隠れる位置で前記間隙６に遊嵌される座盤７bが周設される。
【００１２】
このように構成される盗難防止用節水弁Ｃの使用状態を説明すると、図８に示すように、吐水口を下側に向けた吐水口部８を水平方向に首振り自在とした横形自在水栓９の口端１０に接合金具３の雌ネジ３bが螺合され、次いで接合金具３の下方から盗難防止筒７を押し上げて接合金具３に外嵌すると筒本体７aの座盤７bが接合金具３の外周外端（雄ネジ３aの始端）に当接して位置決めされ、この状態で盗難防止筒７の下端から泡沫発生体４を挿入し、次いで泡沫発生体４を含み盗難防止筒７を鍵本体１１aの円筒部１１bに収納し、押し上げによる押圧力を負荷しつつ回転すると、泡沫発生体４と接合金具３との螺合部での摩擦抵抗により泡沫発生体４と鍵本体１１aとに相対運動が生じ、泡沫発生体４の凹溝４eに鍵本体１１aの突起１１cが嵌着することとなり、鍵１１を回転することにより接合金具３の雄ネジ３aに泡沫発生体４の雌ネジ４bが螺着され、両者が一体に接合され、その状態で盗難防止筒７は間隙６において空転状態で節水弁Ｂに保持される。なお、鍵１１の回転締め付けは、鍵本体１１aの外周面に形成した二面幅のスパナ掛け１１dにスパナ（図外）を掛けて強固に締結される。
【産業上の利用可能性】
【００１３】
本考案は、水栓の口端７に接合される流量制御弁の分野で、制水駒から節水弁及び節水弁の盗難防止技術に渡って広く節水面で実用的に有用であるから、弁製造業界の活性化に資することは勿論のこと、医療機関や教育機関等の節水面で大いに貢献できる。
【符号の説明】
【００１４】
１：通水盤
１a：盤本体
１b：円錐面
１c：突起
１d：円周
１e：通水孔
１f：通水孔
１g：通水孔
１h：通水孔
１i：通水量表示域
２：制水盤
２a：盤本体
２b：凹溝
２c：つまみ
２d：中心線
２e：開口窓
２f:：円錐面
３：接合金具
３a：雄ネジ
３b：雌ネジ
３c：段差部
３d：通水室
４：泡沫発生体
４a：パッキング
４b：雌ネジ
４c：網目
４d：泡沫発生部
４e：凹溝
５：パッキング
６：間隙
７：盗難防止筒
７a：筒本体
７b：座盤
８：吐水口部
９：横形自在水栓
１０：口端
１１：鍵
１１a：鍵本体
１１b：円筒部
１１c：突起
１１d：スパナ掛け
ａ：制水駒
Ａ、Ｂ：節水弁
Ｃ：盗難防止用節水弁
【図１】
0003159456.tif 000003
【図２】
0003159456.tif 000004
【図３】
0003159456.tif 000005
【図４】
0003159456.tif 000006
【図５】
0003159456.tif 000007
【図６】
0003159456.tif 000008
【図７】
0003159456.tif 000009
【図８】
0003159456.tif 000010